(57)【要約】【課題】電池パックが電池ホルダに強固に接着されている場合でも、電池取外しシートが電池ホルダから剥がれてしまうことなく、携帯電話機から電池パックを取り出すことができる電池パック取外し構造を提供する。【解決手段】電池パック取外し構造は、電池パック２を収納して固定する電池ホルダ５と、電池ホルダ５の電池パック設置面Ａに垂直な電池取外し方向Ｘに電池パック設置面Ａと対向する開口部６４から電池パック２を取外すために設けられ、電池パック設置面Ａに設けられたスリット１１を通って電池パック設置面Ａから電池パック設置面Ａの裏面Ｂへ引き回された電池取外しシート８と、を有し、電池取外しシート８の一端６１は電池取外し方向Ｘに引っ張られるプルタブ部９であり、電池取外しシート８の中間部６２は電池ホルダ５内に配設され、電池取外しシート８の他端６３は電池パック設置面Ａの裏面Ｂに固定されている。【選択図】図１
2013182767.tif 000002
【特許請求の範囲】
【請求項１】
電池パックを収納して固定する電池ホルダと、
前記電池ホルダの電池パック設置面に垂直な電池取外し方向に前記電池パック設置面と対向する開口部から前記電池パックを取外すために設けられ、前記電池パック設置面に設けられたスリットを通って前記電池パック設置面から前記電池パック設置面の裏面へ引き回された電池取外しシートと、
を有し、
前記電池取外しシートの一端は前記電池取外し方向に引っ張られるプルタブ部であり、前記電池取外しシートの中間部は前記電池ホルダ内に配設され、前記電池取外しシートの他端は前記電池パック設置面の前記裏面に固定されている、電池パック取外し構造。
【請求項２】
前記電池取外しシートが前記電池ホルダの一端と他端にそれぞれ一つずつ備わっている、請求項１に記載の電池パック取外し構造。
【請求項３】
前記電池ホルダは、前記電池パックの周囲を取り囲む側壁を有している、請求項１または２に記載の電池パック取外し構造。
【請求項４】
前記電池ホルダは、前記電池パックの四隅の周辺にのみ電池パック位置決め部材を有している、請求項１または２に記載の電池パック取外し構造。
【請求項５】
前記電池取外しシートは前記スリットを通って前記電池ホルダの前記電池パック設置面から前記電池パック設置面の前記裏面へ引き回された後に１８０度折り曲げられ、その先端部は前記電池パック設置面の前記裏面に固定されている、請求項１から４のいずれか１項に記載の電池パック取外し構造。
【発明の詳細な説明】
【技術分野】
【０００１】
本発明は、電子機器の電池パック取外し構造に関する。
【背景技術】
【０００２】
携帯電話機をはじめとする電子機器の動作電源である電池の取外し操作を容易に行うために数々の電池取外し構造が提案されている。例えば、電池ホルダの開口部の一側に電池取外しシートの一端が固定されるように電池ホルダ内に配設された電池取外しシート上に載るようにして電池を充填し、電池取外し時には電池取外しシートの他端である自由端側を引き出すことで電池パックを電池ホルダから取り出す構成は広く一般的に用いられている。また、特許文献１では、電池取外しシートの自由端側を電池蓋に固定した構成を有する電子機器が開示されている。この構成では、電池を取外す際、電池取外しシートの先端部が電池ホルダ内の電池の下に潜り込むなどして取り出せなくなることがないという利点がある。
【先行技術文献】
【特許文献】
【０００３】
【特許文献１】特開平９−１０７５８８号公報
【発明の概要】
【発明が解決しようとする課題】
【０００４】
携帯電話機において、薄型化や形状多様化に寄与するリチウムポリマー二次電池パックを採用したデザイン性、機能性に配慮された携帯電話機が今後多く市場投入されると考えられる。現在実用化されているリチウムポリマー二次電池パックは、電解質としてポリエチレンオキシドやポリフッ化ビニリデンからなるポリマーに電解液を含ませてゲル化したものを用いており、電解質が準固体状態となっているため液漏れしにくいという利点がある。
【０００５】
液晶ディスプレイの背面側に電池パックを実装する装置の構成時及び取扱い時の安全性を高めるためには、電池パックを取外すための電池カバーが無い装置構成が主流となると考えられ、電池パックはユーザでは容易に取外せない囲まれた空間内に実装されることとなる。図５は電池カバーがない構成時の携帯電話機の裏面の斜視図である。
【０００６】
ユーザが携帯電話機を使用する場面で想定される外力による衝撃等で短絡（ショート）が発生しないように、装置内部の電池ホルダの電池パック設置面と電池パックとの間を両面接着テープ等の接着剤により、十分に固定する必要がある。
【０００７】
一方、携帯電話機の修理の際や不用品として分解廃棄する際には、電池パックを取外す必要が生じてきてしまい、両面接着テープ等で強く固定されている電池パックを取外すのは容易ではなくなる。
【０００８】
電池パックが電池ホルダ内に強固に接着されている場合、特許文献１のような構成の電池取外し構造をはじめとする関連する電池取外し構造だと、電池パックを取外すために電池取外しシートを強い力で引っ張ったとき、電池取外しシートが電池ホルダから剥がれてしまうという問題が生じる。
【０００９】
本発明では、電池パックが電池ホルダに強固に接着されている場合でも、電池取外しシートが電池ホルダから剥がれてしまうことなく、電子機器から電池パックを取り出すことができる電池パック取外し構造を提供することを目的とする。
【課題を解決するための手段】
【００１０】
本発明の電池パック取外し構造は、電池パックを収納して固定する電池ホルダと、前記電池ホルダの電池パック設置面に垂直な電池取外し方向に前記電池パック設置面と対向する開口部から前記電池パックを取外すために設けられ、前記電池パック設置面に設けられたスリットを通って前記電池パック設置面から前記電池パック設置面の裏面へ引き回された電池取外しシートと、を有し、前記電池取外しシートの一端は前記電池取外し方向に引っ張られるプルタブ部であり、前記電池取外しシートの中間部は前記電池ホルダ内に配設され、前記電池取外しシートの他端は前記電池パック設置面の前記裏面に固定されている。
【発明の効果】
【００１１】
本発明では、電池パックが電池ホルダに強固に接着されている場合でも、電池取外しシートが電池ホルダから剥がれてしまうことなく、電子機器から電池パックを取り出すことができる電池パック取外し構造を提供することができる。
【図面の簡単な説明】
【００１２】
【図１】第１の実施形態に係る電池パック取外し構造の上面図および断面図である。
【図２】第２の実施形態に係る電池パック取外し構造の上面図および断面図である。
【図３】第３の実施形態に係る電池パック取外し構造の上面図および断面図である。
【図４】第４の実施形態に係る電池パック取外し構造の断面図である。
【図５】電池カバーがない構成時の携帯電話機の裏面の斜視図である。
【発明を実施するための形態】
【００１３】
以下、本発明の実施形態について、図面を参照してより詳しく説明する。
【００１４】
図１は本発明の第１の実施形態に係る電池パック取外し構造の上面図（図１（ａ））およびＣ−Ｃ断面図（図１（ｂ））である。電池パック取外し構造は、電池パック２を収納して接着剤５１で固定する電池ホルダ５と、電池ホルダ５の電池パック設置面Ａに垂直な電池取外し方向Ｘに電池パック設置面Ａと対向する開口部６４から電池パック２を取外すために設けられ、電池パック設置面Ａに設けられたスリット１１を通って電池パック設置面Ａから電池パック設置面Ａの裏面Ｂへ引き回された電池取外しシート８と、を備える。電池取外しシート８の一端６１は電池取外し方向Ｘに引っ張られるプルタブ部９であり、電池取外しシート８の中間部６２は電池ホルダ５内に配設され、電池取外しシート８の他端６３は電池パック設置面Ａの裏面Ｂに固定されている。
【００１５】
この電池パック取外し構造では、たとえ電池パック２が電池ホルダ５に強固に接着されている場合でも、電池取外しシート８が電池ホルダ５から剥がれてしまうことなく、携帯電話機から電池パック２を取り出すことができる。電池取外しシート８を電池パック設置面Ａの裏面Ｂに貼付けることにより、電池パック取外し時にプルタブ部９を電池取外し方向Ｘに強い力で引いても、貼付け面１２には電池パック設置面Ａの裏面Ｂに向けて電池取外し方向Ｘに力が強くかかる。すなわち、電池取外しシート８を電池パック設置面Ａの裏面Ｂから剥がす力とは逆向きに強い力がかかるので、電池取外しシート８は電池ホルダ５から容易に剥がれないことになる。
【００１６】
この電池パック取外し構造により、薄型の携帯電話機でリチウムポリマー二次電池パックを採用時に電池パック２を携帯電話機から取外す際、特殊工具や取外し冶具等を使用せずに容易に修理交換などの分解作業が可能になる。それにより、装置薄型化に寄与し、且つ、製品保守の容易性に配慮した商品を提供することができる。
【００１７】
本電池パック取外し構造では、電池取外しシート８のプルタブ部９と電池パック端子面１４が電池ホルダ５の異なる側面に配置されることで、電池パック端子面１４を傷つけることなく電池パック２を取外すことができる。また、繰り返し充電等による電池パックの膨張分の厚みを吸収するために、電池取外しシート８の引き回し部へ溝１５を設けている。プルタブ部９の厚みを吸収するために、電池ホルダ５のプルタブ部側の壁が他の側の壁よりも低くなるように段差１６を設けている。
【００１８】
図２は本発明の第２の実施形態に係る電池パック取外し構造の上面図（図２（ａ））およびＤ−Ｄ断面図（図２（ｂ））である。電池パック２は異形形状をしている。すなわち電池パック２の底面は長方形ではない。例えば図２の場合は電池パック２の底面は長方形から２つの等脚台形をくりぬいた形状となっている。このように電池パック２の形状が変わっても、電池取外しシート８が電池ホルダ５から容易に剥がれないという効果は変わらない。ただし、電池パック２の底面積が大きい場合は、電池ホルダ５との間の接着面積も大きくなり、強固な接着となることから、図２に示されているように、電池ホルダ５の一端と他端にそれぞれ一つ、合計二つの電池取外しシート８を設けるのが好ましい。各電池取外しシート８は電池ホルダ５の電池パック設置面Ａに設けられたスリット１１を通って電池パック設置面Ａから電池パック設置面Ａの裏面Ｂへ引き回され、接着剤５０で固定される。このように、二つの電池取外しシート８を設けた構成にすることによって、電池パック２と電池ホルダ５との間の強固な接着を剥がすために二つの電池取外しシート８を強い力で引いても、一つの電池取外しシート８あたりに必要とされる力は半減し、その分、電池取外しシート８は電池ホルダ５から剥がれにくくなるからである。
【００１９】
なお、図２の場合、電池パック２は周囲を電池ホルダ５の側壁によって囲まれた状態であり、電池パック２を取外す冶具や工具が入る隙間はないが、電池取外しシート８を利用すれば電池パック２を容易に取外すことができる。
【００２０】
図３は本発明の第３の実施形態に係る電池パック取外し構造の上面図（図３（ａ））およびＥ−Ｅ断面図（図３（ｂ））である。電池パック２の四隅には電池パック２を位置決めする電池パック位置決め部材２１が配置されている。電池ホルダ５の四方の側壁は取り払われている。電池取外しシート８は電池ホルダ５の電池パック設置面Ａに設けられたスリット１１を通って電池パック設置面Ａから電池パック設置面Ａの裏面Ｂへ引き回され、接着剤５０で固定されている。電池パック２は電池ホルダ５の電池パック設置面Ａ上に接着剤５１で固定されている。この構成の場合、電池ホルダ５の四方の側壁が取り払われているので、側面から冶具や工具が入る隙間があることになる。しかし、この場合でも、電池取外しシート８を用いて電池パック２を取外すほうが冶具や工具を用いるよりも単純で容易である。また電池取外しシート８が電池ホルダ５から剥がれてしまうおそれもない。
【００２１】
図４は本発明の第４の実施形態に係る電池パック取外し構造の断面図である。電池取外しシート８は電池ホルダ５の電池パック設置面Ａに設けられたスリット１１を通って電池パック設置面Ａから電池パック設置面Ａの裏面Ｂへ引き回された後、１８０度折り曲げられた構造を有し、その端部は電池パック設置面Ａの裏面Ｂに接着剤５０で固定される。電池パック２は電池ホルダ５の電池パック設置面Ａ上に接着剤５１で固定されている。電池取外しシート８を電池パック設置面Ａの裏面Ｂに貼付けることにより、電池パック取外し時にプルタブ部９を電池取外し方向Ｘに強い力で引いても、貼付け面１２には電池パック設置面Ａの裏面Ｂに向けて電池取外し方向Ｘに力が強くかかる。すなわち、電池取外しシート８を電池パック設置面Ａの裏面Ｂから剥がす力とは逆向きに強い力がかかるので、電池取外しシート８は電池ホルダ５から容易に剥がれないことになる。
【符号の説明】
【００２２】
Ａ  電池パック設置面
Ｂ  電池パック設置面の裏面
Ｘ  電池取外し方向
２  電池パック
５  電池ホルダ
８  電池取外しシート
９  プルタブ部
１１  スリット
１２  貼付け面
１４  電池パック端子面
１５  溝
１６  段差
５０  接着剤
５１  接着剤
６１  電池取外しシートの一端
６２  電池取外しシートの中間部
６３  電池取外しシートの他端
６４  開口部
【図１】
2013182767.tif 000003
【図２】
2013182767.tif 000004
【図３】
2013182767.tif 000005
【図４】
2013182767.tif 000006
【図５】
2013182767.tif 000007